(57)【要約】【課題】この発明は、定着装置の誤接続検知、識別検知を行う場合ＡＣ電源制御が制御不能となったりコストデメリットが生じたりするという課題を解決しようとするものである。【解決手段】この発明は、ＡＣ電源スイッチング制御信号を定着装置１Ａを利用して定着装置識別信号として使用することにより、定着装置１Ａの識別検知と誤接続検知を行うとともに、定着装置１Ａの誤接続時及び非接続時にはＡＣ電源スイッチング制御信号をＡＣ電源スイッチング手段５に入力する回路を未接続とするものである。【選択図】  図１
2004271874.tif 000002
【特許請求の範囲】
【請求項１】
着脱可能な定着装置と、
ＡＣ電源から前記定着装置への通電をオン／オフさせるＡＣ電源スイッチング手段及び、前記定着装置を識別する識別手段を持つ電源装置と、
前記ＡＣ電源スイッチング手段をＡＣ電源スイッチング制御信号により制御する制御装置と
を有する画像形成装置において、
前記ＡＣ電源スイッチング制御信号を前記定着装置を利用して定着装置識別信号として使用することにより、前記定着装置の識別検知と誤接続検知を行うとともに、前記定着装置の誤接続時及び非接続時には前記ＡＣ電源スイッチング制御信号を前記ＡＣ電源スイッチング手段に入力する回路を未接続とすることを特徴とする画像形成装置。
【請求項２】
着脱可能な定着装置と、
ＡＣ電源から前記定着装置への通電をオン／オフさせるＡＣ電源スイッチング手段及び、前記定着装置を識別する識別手段を持つ電源装置と、
前記ＡＣ電源スイッチング手段を制御する制御装置と
を有する画像形成装置において、
前記ＡＣ電源スイッチング手段の電源を前記定着装置を利用して定着装置識別信号として使用することにより、前記定着装置の識別検知と誤接続検知と有無検知を行うとともに、前記定着装置の誤接続時及び非接続時には前記ＡＣ電源スイッチング手段の電源を未接続とすることを特徴とする画像形成装置。
【請求項３】
定着装置の接続／非接続がなされ、ＡＣ電源から前記定着装置への通電をＡＣ電源スイッチング制御信号によりオン／オフさせるＡＣ電源スイッチング手段と、前記定着装置を識別する識別手段とを有する電源装置において、前記ＡＣ電源スイッチング制御信号を前記定着装置を利用して定着装置識別信号として使用することにより、前記定着装置の識別検知と誤接続検知を行うとともに、前記定着装置の誤接続時及び非接続時には前記ＡＣ電源スイッチング制御信号を前記ＡＣ電源スイッチング手段に入力する回路を未接続とすることを特徴とする電源装置。
【請求項４】
定着装置の接続／非接続がなされ、ＡＣ電源から前記定着装置への通電をオン／オフさせるＡＣ電源スイッチング手段と、前記定着装置を識別する識別手段とを有する電源装置において、前記ＡＣ電源スイッチング手段の電源を前記定着装置を利用して定着装置識別信号として使用することにより、前記定着装置の識別検知と誤接続検知と有無検知を行うとともに、前記定着装置の誤接続時及び非接続時には前記ＡＣ電源スイッチング手段の電源を未接続とすることを特徴とする電源装置。
【発明の詳細な説明】
【０００１】
【発明の属する技術分野】
本発明は、複写機，プリンタ，ファクシミリ等の画像形成装置及び、定着装置への通電をオン／オフさせる電源装置に関する。
【０００２】
【従来の技術】
特許文献１には、定着装置の着脱可能な画像形成装置において、定着装置識別手段にて定着装置の識別検知を行い、その識別検知結果に応じて定着装置のＡＣ電源制御を行うものが記載されている。
特許文献２には、定着装置の着脱可能な画像形成装置において、定着装置誤接続時にＡＣ電源制御信号の回路を未接続とするものが記載されている。
【０００３】
【特許文献１】
特開平１１−８４９４３号公報
【特許文献２】
特開平１１−２０２６５６号公報
【０００４】
【発明が解決しようとする課題】
特許文献１記載のものでは、定着装置識別手段から出力される識別検知結果に応じて定着装置のＡＣ電源制御を行うため、ＡＣ電源制御をソフト制御にて行う場合にはソフト誤動作時に制御不能となる恐れがあり、また、ＡＣ電源制御をハード制御にて行う場合はハード制御回路が必要となる分コストデメリットが生じる。
【０００５】
また、特許文献２記載のものでは、定着装置誤接続時にＡＣ電源制御信号の回路を未接続とするが、定着装置の識別検知ができないため、定着装置の有無検知、誤接続検知、識別検知を行うには別途識別手段を設ける必要があり、コストデメリットが生じる。
【０００６】
本発明は、定着装置の有無検知、誤接続検知、識別検知を行うことができ、低コストで簡単な回路により実現できる画像形成装置を提供することを目的とする。
さらに、本発明は、定着装置の有無検知、誤接続検知、識別検知を行うことができ、低コストでより安全な回路を簡単な回路で実現できる画像形成装置及び電源装置を提供することを目的とす
【０００７】
【課題を解決するための手段】
上記目的を達成するため、請求項１に係る発明は、着脱可能な定着装置と、ＡＣ電源から前記定着装置への通電をオン／オフさせるＡＣ電源スイッチング手段及び、前記定着装置を識別する識別手段を持つ電源装置と、前記ＡＣ電源スイッチング手段をＡＣ電源スイッチング制御信号により制御する制御装置とを有する画像形成装置において、前記ＡＣ電源スイッチング制御信号を前記定着装置を利用して定着装置識別信号として使用することにより、前記定着装置の識別検知と誤接続検知を行うとともに、前記定着装置の誤接続時及び非接続時には前記ＡＣ電源スイッチング制御信号を前記ＡＣ電源スイッチング手段に入力する回路を未接続とするものである。
【０００８】
請求項２に係る発明は、ＡＣ電源から前記定着装置への通電をオン／オフさせるＡＣ電源スイッチング手段及び、前記定着装置を識別する識別手段を持つ電源装置と、前記ＡＣ電源スイッチング手段を制御する制御装置とを有する画像形成装置において、前記ＡＣ電源スイッチング手段の電源を前記定着装置を利用して定着装置識別信号として使用することにより、前記定着装置の識別検知と誤接続検知と有無検知を行うとともに、前記定着装置の誤接続時及び非接続時には前記ＡＣ電源スイッチング手段の電源を未接続とするものである。
【０００９】
請求項３に係る発明は、定着装置の接続／非接続がなされ、ＡＣ電源から前記定着装置への通電をＡＣ電源スイッチング制御信号によりオン／オフさせるＡＣ電源スイッチング手段と、前記定着装置を識別する識別手段とを有する電源装置において、前記ＡＣ電源スイッチング制御信号を前記定着装置を利用して定着装置識別信号として使用することにより、前記定着装置の識別検知と誤接続検知を行うとともに、前記定着装置の誤接続時及び非接続時には前記ＡＣ電源スイッチング制御信号を前記ＡＣ電源スイッチング手段に入力する回路を未接続とするものである。
【００１０】
請求項４に係る発明は、定着装置の接続／非接続がなされ、ＡＣ電源から前記定着装置への通電をオン／オフさせるＡＣ電源スイッチング手段と、前記定着装置を識別する識別手段とを有する電源装置において、前記ＡＣ電源スイッチング手段の電源を前記定着装置を利用して定着装置識別信号として使用することにより、前記定着装置の識別検知と誤接続検知と有無検知を行うとともに、前記定着装置の誤接続時及び非接続時には前記ＡＣ電源スイッチング手段の電源を未接続とするものである。
【００１１】
【発明の実施の形態】
図１〜図４は、本発明の実施形態１である画像形成装置の一部を示す。
図１〜図４において、１Ａ，１Ｂは着脱可能な定着装置（定着ユニット）、２はＡＣ電源により駆動される発熱体としての定着ヒータである。３は定着装置１Ａ，１Ｂの識別を行うためのジャンパーハーネスであり、このジャンパーハーネス３は制御信号入力点（ｓ点）の接続先（ａ点、ｂ点）を定着装置１Ａ，１Ｂの種別（１００Ｖ系定着装置、２００Ｖ系定着装置など）に応じて変えておく。本実施形態１では、定着装置１Ａが画像形成装置本体に装着された場合には図１に示すようにジャンパーハーネス３がｓ点及びａ点に接続され、定着装置１Ｂが画像形成装置本体に装着された場合には図２に示すようにジャンパーハーネス３がｓ点及びｂ点に接続される。
【００１２】
ｓ点はスイッチング素子としてのトランジスタ１０のコレクタに接続され、トランジスタ１０のエミッタが接地される。ジャンパーハーネス３にはｓ点からＡＣ電源スイッチング制御信号としての制御信号が入力され、この制御信号はジャンパーハーネス３を介してａ点またはｂ点から出力される。制御信号がジャンパーハーネス３から出力される点がａ点であるかｂ点であるかは定着装置１Ａ，１Ｂの種別によって異なる。
【００１３】
４は電源装置である。５はＡＣ電源から定着ヒータ２への通電をオン／オフさせるＡＣ電源スイッチング手段であり、このＡＣ電源スイッチング手段５はここでは一例としてリレーを使用しているがトライアック等を使用することも可能である。６は定着装置１Ａ，１Ｂの別を行う定着装置識別手段としての定着装置識別回路であり、この定着装置識別回路６は電源装置４Ａ，４Ｂの種別（１００Ｖ系電源装置、２００Ｖ系電源装置など）に応じて、ＡＣ電源スイッチング手段５への接続先を変えておく。本実施形態１では、電源装置４Ａの場合には図１に示すように点ａをＡＣ電源スイッチング手段５に接続し、電源装置４Ｂの場合には図３に示すように点ｂをＡＣ電源スイッチング手段５に接続する。
【００１４】
７は制御手段としての制御装置（制御ユニット）であり、検知信号Ａは定着装置１Ａ，１Ｂの識別検知を行う検知信号であり、検知信号Ｂ，Ｃは定着装置１Ａ，１Ｂの誤接続検知を行う検知信号である。トランジスタ１０のコレクタはプルダウン抵抗１１を介して接地され、ａ点及びｂ点はそれぞれプルダウン抵抗１２、１３を介して接地される。プルダウン抵抗１１〜１３は、流れる電流値がＡＣ電源スイッチング手段５のオン／オフに影響しないように十分に大きい抵抗値としておく。
【００１５】
ここで、図１を使って定着ヒータ２の制御動作を説明する。
まず、制御装置７がトラインジスタ１０のベースに与える制御信号８が低レベル（Ｌ）の場合には、トランジスタ１０はオンせずにオープン状態となる。その場合、ＡＣ電源スイッチング手段５を構成するリレーのコイルには電流が流れず、ＡＣ電源スイッチング手段５はオンしなくて定着ヒータ２が点灯しない。また、制御信号８が高レベル（Ｈ）の場合には、トランジスタ１０がオンし、トランジスタ１０のコレクタ出力がＬレベルとなる。その場合、ＡＣ電源スイッチング手段５を構成するコイルに直流電源から電流が流れてＡＣ電源スイッチング手段５がオンし、定着ヒータ２が点灯する。
【００１６】
次に、図１１を使って本実施形態の動作を説明する。
図１〜図４の違いは、電源装置４Ａ、電源装置４Ｂ、定着装置１Ａ、定着装置１Ｂの組み合わせを変えたものであり、この組み合わせの内容を図１１に示す。ここで、図１１に示すように、電源装置４Ａと定着装置１Ａの組み合わせ、電源装置４Ｂと定着装置１Ｂの組み合わせが正常な組み合わせであり、それ以外の電源装置と定着装置の組み合わせは誤接続であるとする。
【００１７】
図１〜図４において、検知信号Ａ〜Ｃは図１１に示すような出力信号となり、Ｈで電源装置と定着装置の正常接続検知、Ｌで誤接続検知となる。すなわち、トランジスタのコレクタからの検知信号Ａは、電源装置４Ａと定着装置１Ａの組み合わせ、電源装置４Ｂと定着装置１Ｂの組み合わせでＨとなり、それ以外の電源装置と定着装置の組み合わせでＬとなる。したがって、検知信号Ａにより定着装置１Ａ、１Ｂの誤接続が検知される。また、定着装置Ａの接続で検知信号ＣがＨ、定着装置Ｂの接続で検知信号ＢがＨでとなり、検知信号Ｂ、ＣによりＢ定着装置１Ａ、１Ｂが識別検知される。
【００１８】
さらに、図１、図４に示すように、定着装置１Ａ、１Ｂが正常に接続された場合にはＡＣ電源スイッチング手段５に制御装置７からの制御信号が入力され、制御信号にて定着ヒータ２の制御を行うことが可能であるが、図２、図３に示すように定着装置１Ａ、１Ｂが誤接続された場合にはＡＣ電源スイッチング手段５には制御信号が入力されず、制御信号のオン／オフにかかわらず、定着ヒータ２がオンすることは無い。
【００１９】
図１３は本実施形態１の全体を示す。この実施形態１は電子写真方式の画像形成装置の一形態である。この画像形成装置２０は、像担持体としてのドラム状感光体２１と、この感光体２１を一様に帯電させる帯電装置２２と、感光体２１の回転方向について帯電装置２２より下流側に配置され、露光手段としての書込装置の一部を構成してレーザ光２３を感光体２１の表面に入射するミラー２４と、感光体２１の回転方向についてミラー２４より下流側に配置され、現像ローラ２５ａを有する現像装置２５と、感光体２１の回転方向について現像装置２５より下流側に配置された転写装置２６と、感光体２１の回転方向について転写装置２６より下流側に配置され、クリーニングブレード２７ａを有するクリーニング装置２７と、給紙装置２８及び定着装置１（１Ａまたは１Ｂ）とを有する。
【００２０】
給紙装置２８は、給紙トレイ３０と給紙コロ３１とを有し、給紙トレイ３０に収納されている記録材としての記録紙を給紙コロ３１により給紙する。給紙装置２８と転写装置２６との間には記録紙搬送路３２及びレジストローラ３３が設置されている。
【００２１】
この実施形態１の画像形成装置にて画像形成を行う時には、感光体２１は、図示しない駆動部により回転駆動され、帯電装置２２により一様に帯電された後に書込装置から画像情報に応じて出射されるレーザ光２３がミラー２４を介して照射されることにより静電潜像が形成される。この感光体２１上の静電潜像は現像装置２５により現像されてトナー像となる。
【００２２】
一方、給紙トレイ３０に収納されている記録紙は、給紙コロ３１により給紙されて記録紙搬送路３２を通り、レジストローラ３３で一旦停止する。レジストローラ３３は感光体２１上のトナー像に合わせて記録紙を送り出し、この記録紙は感光体２１上のトナー像が転写装置２６により転写される。トナー像が転写された記録紙は、定着装置１によりトナー像が定着され、外部へ画像形成物として排出される。また、感光体２１はトナー像転写後にクリーニング装置２７により残留トナーが除去されて次の画像形成に備える。
【００２３】
図１４は定着装置１を示す。
図１４に示すように、定着部材としての定着ロ−ラ４１には加圧部材としての加圧ロ−ラ４２と定着分離爪４３が一定圧で当接され、定着ロ−ラ４１及び加圧ロ−ラ４２は画像形成時には図示しない駆動部により回転駆動される。発熱体としての定着ヒ−タ２は、定着ロ−ラ４１の内部に設置される。ヒ−タ２はＡＣ電源からＡＣ電源スイッチング手段５を介して電力が供給される。
【００２４】
定着ロ−ラ４１の表面温度は温度検知手段４６により検知され、制御装置７は温度検知手段６からの検知信号により温度検知手段６の検知温度に基づいて制御信号をトランジスタ１０に与えてＡＣ電源スイッチング手段５を制御することでヒ−タ２の点灯を制御して定着ロ−ラ４１の表面温度を所定の定着化の可能な温度に制御する。転写装置２６からの記録材４７が定着ロ−ラ４１及び加圧ロ−ラ４２のニップ部を通過する際に記録材４７上の未定着画像であるトナー像４８が加熱溶融されて記録材４７に定着される。
【００２５】
この実形態１によれば、ＡＣ電源スイッチング制御信号を定着装置１を利用して定着装置識別信号として使用することにより、定着装置１の識別検知と誤接続検知を行うとともに、定着装置１の誤接続時及び非接続時にはＡＣ電源スイッチング制御信号をＡＣ電源スイッチング手段５に入力する回路を未接続とするので、定着装置の誤接続検知、識別検知を行うことができ、低コストで簡単な回路により実現可能である。
【００２６】
また、この実施形態の電源装置によれば、ＡＣ電源スイッチング制御信号を定着装置１を利用して定着装置識別信号として使用することにより、定着装置１の識別検知と誤接続検知を行うとともに、定着装置１の誤接続時及び非接続時にはＡＣ電源スイッチング制御信号をＡＣ電源スイッチング手段５に入力する回路を未接続とするので、定着装置の誤接続検知、識別検知を行うことができ、低コストでより安全な回路を簡単な回路で実現可能である。
【００２７】
図５〜図１０は、本発明の実施形態２の一部を示す。この実施形態２においては、上記実施形態１において、ジャンパーハーネス３はＡＣ電源スイッチング手段５の電源（ｓ点）の接続先（ａ点、ｂ点）を定着装置１Ａ，１Ｂの種別（１００Ｖ系定着装置、２００Ｖ系定着装置など）に応じて変えておく。本実施形態２では、定着装置１Ａが画像形成装置本体に装着された場合には図５に示すようにジャンパーハーネス３がｓ点及びａ点に接続され、定着装置１Ｂが画像形成装置本体に装着された場合には図６に示すようにジャンパーハーネス３がｓ点及びｂ点に接続される。ジャンパーハーネス３にはｓ点からＡＣ電源スイッチング手段５の電源出力が入力され、この電源出力はジャンパーハーネス３を介してａ点またはｂ点から出力される。電源出力がａ点から出力されるかｂ点から出力されるかは定着装置１の種別によって異なる。
【００２８】
電源装置識別回路６は電源装置４Ａ，４Ｂの種別（１００Ｖ系電源装置、２００Ｖ系電源装置など）に応じて、ＡＣ電源スイッチング手段５の電源の接続先を変えておく。本実施形態２では、電源装置４Ａの場合には図５に示すように点ａをＡＣ電源スイッチング手段５に接続し、電源装置４Ｂの場合には図８に示すように点ｂをＡＣ電源スイッチング手段５に接続する。
【００２９】
次に、図１２を使って本実施形態２の動作を説明する。
図５〜図１０の違いは、電源装置４Ａ、電源装置４Ｂ、定着装置１Ａ、定着装置１Ｂの組み合わせを変えたものであり、その組み合わせの内容を図１２に示す。ここで、図１２に示すように、電源装置４Ａと定着装置１Ａの組み合わせ、電源装置４Ｂと定着装置１Ｂの組み合わせが電源装置と定着装置の正常な組み合わせであり、それ以外の電源装置と定着装置の組み合わせは誤接続または非接続であるとする。
【００３０】
図５〜図１０において、検知信号Ａ〜Ｃは、図１２に示すような出力信号となり、図１２に示すように、Ｈで電源装置と定着装置の正常接続検知、Ｌで誤接続検知となる。すなわち、トランジスタのコレクタからの検知信号Ａは、電源装置４Ａと定着装置１Ａの組み合わせ、電源装置４Ｂと定着装置１Ｂの組み合わせでＨとなり、それ以外の電源装置と定着装置の組み合わせまたは定着装置の非接続でＬとなる。したがって、検知信号Ａにより定着装置１Ａ、１Ｂの誤接続、非接続が検知される。また、定着装置Ａの接続で検知信号ＣがＨ、定着装置Ｂの接続で検知信号ＢがＨとなり、検知信号Ｂ、ＣによりＢ定着装置１Ａ、１Ｂが識別検知される。また、定着装置の非接続で検知信号Ｂ、Ｃが両方ともＬとなり、検知信号Ｂ、Ｃにより定着装置１Ａ、１Ｂの接続も検知される。
【００３１】
なお、本実施形態２において、トランジスタ１０は制御装置７上に実装されているが、電源装置４Ａ、４Ｂ上に実装されていても構わない。その場合、検知信号Ａは、電源装置４Ａ、４Ｂから制御装置７にハーネス等を介して送られることとなる。
【００３２】
さらに、図５、図９のように、定着装置１Ａ、１Ｂの正常接続の場合にはＡＣ電源スイッチング手段５に電源が接続され、制御信号にて定着ヒータ２の制御を行うことが可能であるが、図６、図８に示すような定着装置１Ａ、１Ｂの誤接続の場合及び図７、図１０に示すような定着装置１Ａ、１Ｂの非接続の場合にはＡＣ電源スイッチング手段５には電源が接続されず、制御信号のオン／オフにかかわらず、定着ヒータ２がオンすることは無い。
【００３３】
この実施形態２によれば、ＡＣ電源スイッチング手段５の電源を定着装置１を利用して定着装置識別信号として使用することにより、定着装置１の識別検知と誤接続検知と有無検知を行うとともに、定着装置１の誤接続時及び非接続時にはＡＣ電源スイッチング手段５の電源を未接続とするので、定着装置の有無検知、誤接続検知、識別検知を行うことができ、低コストでより安全な回路を簡単な回路で実現可能である。
【００３４】
また、この実施形態２によれば、ＡＣ電源スイッチング手段５の電源を定着装置１を利用して定着装置識別信号として使用することにより、定着装置１の識別検知と誤接続検知と有無検知を行うとともに、定着装置１の誤接続時及び非接続時にはＡＣ電源スイッチング手段５の電源を未接続とするので、定着装置の有無検知、誤接続検知、識別検知を行うことができ、低コストでより安全な回路を簡単な回路で実現可能である。
【００３５】
【発明の効果】
以上のように本発明によれば、定着装置の誤接続検知、識別検知を行うことができ、低コストで簡単な回路により実現できる画像形成装置を提供することができ、さらに、定着装置の有無検知、誤接続検知、識別検知を行うことができ、低コストでより安全な回路を簡単な回路で実現できる画像形成装置及び電源装置を提供することができる。
【図面の簡単な説明】
【図１】本発明の実施形態１の定着装置正常接続状態を示す回路図である。
【図２】同実施形態１の定着装置誤接続状態を示す回路図である。
【図３】同実施形態１の定着装置誤接続状態を示す回路図である。
【図４】同実施形態１の定着装置正常接続状態を示す回路図である。
【図５】本発明の実施形態２の定着装置正常接続状態を示す回路図である。
【図６】同実施形態２の定着装置誤接続状態を示す回路図である。
【図７】同実施形態２の定着装置非接続状態を示す回路図である。
【図８】同実施形態２の定着装置誤接続状態を示す回路図である。
【図９】同実施形態２の定着装置正常接続状態を示す回路図である。
【図１０】同実施形態２の定着装置非接続状態を示す回路図である。
【図１１】上記実施形態１の各定着装置接続状態における検出信号を示す図である。
【図１２】上記実施形態２の各定着装置接続状態における検出信号を示す図である。
【図１３】上記実施形態１の全体を示す断面図である。
【図１４】上記実施形態１の定着装置を示す概略図である。
【符号の説明】
１Ａ，１Ｂ      定着装置
２      定着ヒータ
３      ジャンパーハーネス
４      電源装置
５      ＡＣ電源スイッチング手段
６      電源装置識別回路
７      制御装置
１１〜１３      プルダウン抵抗
【図１】
2004271874.tif 000003
【図２】
2004271874.tif 000004
【図３】
2004271874.tif 000005
【図４】
2004271874.tif 000006
【図５】
2004271874.tif 000007
【図６】
2004271874.tif 000008
【図７】
2004271874.tif 000009
【図８】
2004271874.tif 000010
【図９】
2004271874.tif 000011
【図１０】
2004271874.tif 000012
【図１１】
2004271874.tif 000013
【図１２】
2004271874.tif 000014
【図１３】
2004271874.tif 000015
【図１４】
2004271874.tif 000016